(57)【特許請求の範囲】
【請求項１】
開閉方向にスライド可能に設けられたドアと、
前記ドアの下部を開閉方向に案内する溝を有する敷居とを備えたエレベータのドア装置であって、
前記ドアは、ドアパネルと、該ドアパネルの下端に設けられたドアシューとを含み、
前記ドアシューには、前記ドアの荷重を支える荷重支持部材と、前記ドアシューを前記ドアパネルに固定する固定部材とが挿通される、少なくとも一つの支持穴部が設けられており、
前記支持穴部は、前記荷重支持部材と前記固定部材とが、前記ドアシューに対して異なる高さに配置されるように構成されている、エレベータのドア装置。
【請求項２】
前記ドアシューは、前記溝に挿入されるシュー部分と、該シュー部分を前記ドアパネルに支持するサポート部分とを含み、
前記支持穴部は、前記サポート部分に形成されており、
前記支持穴部は、異なる高さに位置する複数の横穴部と、それら複数の横穴部を連通する連通穴部とを含み、
前記荷重支持部材及び前記固定部材が、前記支持穴部に挿通され、前記ドアシューを前記ドアパネルに固定する締結部材である、
請求項１のエレベータのドア装置。
【請求項３】
前記ドアシューは、前記溝に挿入されるシュー部分と、該シュー部分を前記ドアパネルに支持するサポート部分とを含み、
前記支持穴部は、前記サポート部分に形成されており、
前記支持穴部は、高さ方向に延びる長穴であり、
前記荷重支持部材及び前記固定部材が、前記支持穴部に挿通され、前記ドアシューを前記ドアパネルに固定する締結部材である、
請求項１のエレベータのドア装置。
【請求項４】
前記ドアシューは、前記溝に挿入されるシュー部分と、該シュー部分を前記ドアパネルに支持するサポート部分とを含み、
前記支持穴部は、前記サポート部分に形成されており、
前記支持穴部は、前記荷重支持部材が挿通される仮支持穴と、前記固定部材が挿通される固定穴とを含み、
前記荷重支持部材は、下面が前記敷居と当接する仮支持部材であり、前記固定部材は、前記ドアシューを前記ドアパネルに固定する締結部材である、
請求項１のエレベータのドア装置。
【請求項５】
開閉方向にスライド可能に設けられたドアと、前記ドアの下部を開閉方向に案内する溝を有する敷居とを備え、前記ドアが、ドアパネルと、該ドアパネルの下端に設けられたドアシューとを含んでいる、エレベータのドアの据付方法であって、
前記ドアシューに、前記ドアの荷重を支える荷重支持部材と、前記ドアシューを前記ドアパネルに固定する固定部材とが挿通される少なくとも一つの支持穴部であって、前記荷重支持部材と前記固定部材とが、前記ドアシューに対して異なる高さに配置されるように構成されている前記支持穴部を形成しておき、
前記支持穴部に挿通された前記荷重支持部材により前記ドアの荷重を支えた状態で、前記ドアパネルを設定高さ位置でスライド可能に固定し、
前記ドアパネルの固定後、前記荷重支持部材の配置とは異なる高さに配置した前記固定部材により前記ドアシューを前記ドアパネルに固定することで、該ドアパネルと前記敷居との間に設定隙間を有する状態を得る、
エレベータのドアの据付方法。
【請求項６】
前記ドアシューは、前記溝に挿入されるシュー部分と、該シュー部分を前記ドアパネルに支持するサポート部分とを含み、
前記支持穴部は、前記サポート部分に形成されており、
前記支持穴部は、異なる高さに位置する複数の横穴部と、それら複数の横穴部を連通する連通穴部とを含み、
前記荷重支持部材及び前記固定部材が、前記支持穴部に挿通され、前記ドアシューを前記ドアパネルに固定する締結部材であり、
前記締結部材を、相対的に上部の前記横穴部に配置した状態で、前記ドアパネルの固定を行い、
前記ドアパネルの固定後、前記締結部材を、前記連通穴部を進行させて、相対的に上部の前記横穴部から、相対的に下部の前記横穴部に移動させることで、前記ドアの固定時の状態よりも前記ドアパネルに対する前記ドアシューの高さを上昇させる、
請求項５のエレベータのドアの据付方法。
【請求項７】
前記ドアシューは、前記溝に挿入されるシュー部分と、該シュー部分を前記ドアパネルに支持するサポート部分とを含み、
前記支持穴部は、前記サポート部分に形成されており、
前記支持穴部は、高さ方向に延びる長穴であり、
前記荷重支持部材及び前記固定部材が、前記支持穴部に挿通され、前記ドアシューを前記ドアパネルに固定する締結部材であり、
前記締結部材を、前記長穴における相対的に上部に配置した状態で、前記ドアパネルの固定を行い、
前記ドアパネルの固定後、前記締結部材を、前記長穴内で下降させて、前記長穴における相対的に上部の位置から相対的に下部の位置へと移動させることで、前記ドアの固定時の状態よりも前記ドアパネルに対する前記ドアシューの高さを上昇させる、
請求項５のエレベータのドアの据付方法。
【請求項８】
前記ドアシューは、前記溝に挿入されるシュー部分と、該シュー部分を前記ドアパネルに支持するサポート部分とを含み、
前記支持穴部は、前記サポート部分に形成されており、
前記支持穴部は、前記荷重支持部材が挿通される仮支持穴と、前記固定部材が挿通される固定穴とを含み、
前記荷重支持部材は、下面が前記敷居と当接する仮支持部材であり、前記固定部材は、前記ドアシューを前記ドアパネルに固定する締結部材であり、
前記仮支持部材を、前記仮支持穴に挿入した状態で、前記ドアパネルの固定を行い、
前記ドアパネルの固定後であって、且つ、前記固定穴に挿通された前記締結部材による前記ドアパネルへの前記ドアシューの固定後に、前記仮支持部材を、前記仮支持穴から抜き出す、
請求項５のエレベータのドアの据付方法。
【発明の詳細な説明】
【技術分野】
【０００１】
本発明は、エレベータのドア装置、及び、エレベータのドアの据付方法に関するものである。
【背景技術】
【０００２】
エレベータは、上下に延びる昇降路と、昇降路内を移動可能に設けられたかごとを備えている。かごの前部には、搭乗者が乗り降りするかご乗降口を開閉する少なくとも一つのかごドアが設けられている。また、昇降路を有する構造物の複数の対象階には、かご乗降口と対面できるように乗場乗降口が設けられている。複数の乗場乗降口にはそれぞれ、少なくとも一つの乗場ドアが設けられている。【０００３】
これらドアと、ドアの周辺部との隙間は、所定値以下に収まるよう法規化されている。その一方、一定以上の隙間を確保しなければ、ドアの開閉時に、ドアとその周辺部とが接触してしまい、異音の発生や機器の故障に繋がる可能性がある。このため、隙間の厳密な寸法調整が必要であるため、設置台数や階床数が多い場合、作業者の熟練度によっては当該調整に長時間を要するという問題が生じうる。【０００４】
また、このような問題に関連し、従来、いくつかの技術が開示されている。例えば、特許文献１には、ドアパネルとドアハンガーとの間に、二組のボルト及びナットを含む吊り調整装置が配置されている、エレベータのドア装置が開示されている。この吊り調整装置により、ドアパネルの高さが変更、調整できる。ドアパネルの高さを調整する際には、ドアパネルと敷居との間に、セットアップ専用のドア位置決め調整手段を配置しておき、そのドア位置決め調整手段のジャッキアップボルトを操作することで、ドアパネルを下方から支えながら高さ調整を行う。また、ドア位置決め調整手段には、ストッパが設けられており、このストッパにより、ジャッキアップボルトの操作がアシストされる。【０００５】
また、特許文献２には、ドアハンガーに第１マーク及び第２マークを設けたエレベータのドア装置が開示されている。そして、第１マークにハンガーレールの上面が位置し、第２マークにドアパネルの上面が位置するように、ドアハンガー、ハンガーレール及びドアパネルの相対位置関係を調整することで、組立て時の位置決めが簡便に行えるようになっていた。
【先行技術文献】
【特許文献】
【０００６】
【特許文献１】特開平９−２４０９７１号公報
【特許文献２】特開平８−２４５１４２号公報
【発明の概要】
【発明が解決しようとする課題】
【０００７】
しかしながら、上述した特許文献１に開示の装置では、エレベータの通常運転では必要のないドア位置決め調整手段が必要となり、セットアップ専用の機器の費用が嵩む問題がある。また、特許文献２に開示の装置でも、位置合わせの目安が提供されるだけで、ドアパネルの高さ位置を調整する際には、文献に開示のないジャッキアップ機器を別途、用意することが必要である。【０００８】
本発明は、このような問題に鑑みてなされたものであり、セットアップ専用の機器の費用が嵩むことなく且つ熟練を要するジャッキアップを避けて、簡便にドアパネルと敷居との隙間を適正にすることができる、エレベータのドア装置、及び、エレベータのドアの据付方法を提供することを目的とする。
【課題を解決するための手段】
【０００９】
上述した目的を達成するため、本発明のエレベータのドア装置は、開閉方向にスライド可能に設けられたドアと、前記ドアの下部を開閉方向に案内する溝を有する敷居とを備えたエレベータのドア装置であって、前記ドアは、ドアパネルと、該ドアパネルの下端に設けられたドアシューとを含み、前記ドアシューには、前記ドアの荷重を支える荷重支持部材と、前記ドアシューを前記ドアパネルに固定する固定部材とが挿通される、少なくとも一つの支持穴部が設けられており、前記支持穴部は、前記荷重支持部材と前記固定部材とが、前記ドアシューに対して異なる高さに配置されるように構成されている。
さらに、同目的を達成するための本発明に係るエレベータのドアの据付方法は、開閉方向にスライド可能に設けられたドアと、前記ドアの下部を開閉方向に案内する溝を有する敷居とを備え、前記ドアが、ドアパネルと、該ドアパネルの下端に設けられたドアシューとを含んでいる、エレベータのドアの据付方法であって、前記ドアシューに、前記ドアの荷重を支える荷重支持部材と、前記ドアシューを前記ドアパネルに固定する固定部材とが挿通される少なくとも一つの支持穴部であって、前記荷重支持部材と前記固定部材とが、前記ドアシューに対して異なる高さに配置されるように構成されている前記支持穴部を形成しておき、前記支持穴部に挿通された前記荷重支持部材により前記ドアの荷重を支えた状態で、前記ドアパネルを設定高さ位置でスライド可能に固定し、前記ドアパネルの固定後、前記荷重支持部材の配置とは異なる高さに配置した前記固定部材により前記ドアシューを前記ドアパネルに固定することで、該ドアパネルと前記敷居との間に設定隙間を有する状態を得る。
【発明の効果】
【００１０】
本発明によれば、セットアップ専用の機器の費用が嵩むことなく且つ熟練を要するジャッキアップを避けて、簡便にドアパネルと敷居との隙間を適正にすることができる。
【図面の簡単な説明】
【００１１】
【図１】本発明に係るエレベータのドア装置を適用するエレベータの全体構成を示す模式図である。
【図２】本発明の実施の形態１に係るドア装置を示す斜視図である。
【図３】本実施の形態１におけるドアシューの斜視図である。
【図４】本実施の形態１におけるドアシューの走行方向からみたドアシュー及び敷居の関係を示す図である。
【図５】本実施の形態１におけるドアシューの走行方向からみたドアシュー及び敷居の関係を示す図である。
【図６】本発明の実施の形態２に関する、図３と同態様の図である。
【図７】本発明の実施の形態３に関する、図３と同態様の図である。
【図８】本発明の実施の形態３に関する、図５と同態様の図である。
【発明を実施するための形態】
【００１２】
以下、本発明の実施の形態について添付図面に基づいて説明する。なお、図中、同一符号は同一又は対応部分を示すものとする。
【００１３】
実施の形態１．
図１は、本発明に係るエレベータのドア装置を適用するエレベータの全体構成を示す模式図である。エレベータ１は、上下に延びる昇降路３と、その昇降路３内を移動可能に設けられたかご５とを備えている。
【００１４】
かご５の前部には、搭乗者が乗り降りするかご乗降口７が設けられており、かご乗降口７は、ドア装置９により開閉される。また、昇降路３を有する構造物の複数階の乗場１１には、かご５の着床によってかご乗降口７と対面できるように乗場乗降口１３が設けられている。乗場乗降口１３もまた、ドア装置９により開閉される。なお、かご５のドア装置９と、乗場１１のドア装置９とは、細部や、以下に説明する本発明の関連部以外の部分に関しては、相違するものの、本発明を構成する部分は同様であるものとして説明する。
【００１５】
図２は、本実施の形態１に係るドア装置を示す斜視図である。本実施の形態１に係るドア装置９は、開閉方向にスライド可能に設けられた少なくとも一つのドア２１と、ドア２１の下部を開閉方向に案内する溝２３を有する敷居２５とを、少なくとも備えている。さらに、ドア２１は、ドアパネル２７と、ドアパネル２７の下端に設けられたドアシュー２９とを含んでいる。
【００１６】
ドア２１は、次のようにして、吊り下げ態様で支持されている。上下に延びるドアパネル２７の上部には、上下に延びる複数の長穴３１が設けられている。長穴３１にはそれぞれ、ボルト３３が横向きに（ほぼ水平方向に）挿通されている。これらボルト３３により、ドアパネル２７（ドア２１）は、ドアハンガー３５の下端に固定されている。ここで、ボルト３３は、その軸が横向きであり、ドアパネル２７の縦方向に延びる領域に取り付けられるので、ドア２１の荷重を、曲げ荷重として受けずに済み、破損にも強い利点がある。
【００１７】
ドアハンガー３５の上端には、複数のハンガーローラ３７が設けられている。一方、搭乗口の上方には、ドアレール３９が固定されており、複数のハンガーローラ３７は、ドアレール３９によって案内される。すなわち、複数のハンガーローラ３７がドアレール３９上を転がり移動することによって、ドア２１が開閉方向に移動する。なお、ドア２１の開閉移動を行う駆動機構の態様は、本発明では特に限定されるものではなく、例えばモータ等を用いた周知の駆動機構でもよい。
【００１８】
図３は、本実施の形態１におけるドアシューの斜視図である。また、図４及び図５はそれぞれ、ドアシューの走行方向からみたドアシュー及び敷居の関係を示す図であり、特に、図４は、ドアの固定作業時の状態を示し、図５は、ドアが開閉可能である状態を示す図である。
【００１９】
ドアシュー２９は、敷居２５の溝２３に挿入されるシュー部分４１と、シュー部分４１をドアパネル２７に支持するサポート部分４３とを含む。一例であるが、シュー部分４１は、直方体状の部材であり、サポート部分４３は、プレート状の部材である。シュー部分４１は、サポート部分４３の下端に接続されており、サポート部分４３の上端は、締結部材としてのボルト４５によってドアパネル２７に固定されている。ボルト４５は、締結部材の一例であり、ドアシュー２９をドアパネル２７に固定する固定部材として機能する。
【００２０】
サポート部分４３には、少なくとも一つの（図示例では二つの）支持穴部５１が設けられている。支持穴部５１はそれぞれ、異なる高さに位置する複数の（本実施の形態では上下一対の）横穴部５３，５５と、それら上下の横穴部５３，５５を連通する連通穴部５７とを含む。これら横穴部５３，５５及び連通穴部５７は、サポート部分４３を貫通している。横穴部５３，５５はそれぞれ、横方向（本実施の形態では水平方向、ドアの開閉方向）に延びる領域である。また、連通穴部５７は、縦方向（本実施の形態では横穴部５３，５５の延びる方向と直交する方向）に延びる領域である。
【００２１】
次に、以上のように構成された本実施の形態１に係るエレベータのドア装置における作用すなわちエレベータのドアの据付方法について説明する。まず、前提として、本実施の形態１では、ドアパネル２７の下端から敷居２５の溝２３の底面までの寸法を寸法Ａとし、溝２３の深さを深さＢとし、ドアパネル２７の下端と敷居２５の上端との隙間を隙間Ｃとする。寸法Ａ＝深さＢ＋隙間Ｃの関係がある。本実施の形態では、最終的に隙間Ｃの確保を実現するようにドアの据付を行う。
【００２２】
まず、ボルト４５を、仮設定締結位置として、支持穴部５１における相対的に上部の横穴部５３の位置に挿通し、ボルト４５の仮締めを行う。図４は、かかるボルト４５が仮設定締結位置にある状態を示している。図４から分かるように、シュー部分４１の底部が溝２３の底部に当接しており、その状態で、ドアパネル２７の下端と敷居２５の上端との隙間Ｃが、所望の設定隙間の値になっている。換言するならば、このような当接状態と隙間の値とが得られるように、ドアパネル２７、ドアシュー２９、ボルト４５の設置位置、支持穴部５１の形状、ボルト３３の設置位置、長穴３１の形状等の連携各部の関係を構成しておく。
【００２３】
図４のようにシュー部分４１と溝２３の底部とが当接し、隙間Ｃが所望の値となっている状態で、ボルト３３によってドアパネル２７をドアハンガー３５に吊り下げ固定する。このドアパネル２７の固定時、シュー部分４１は溝２３の底面に当接していることから、ドアパネル２７は敷居２５によって下方から支えられており、ボルト４５は、ドア２１の荷重を支える荷重支持部材として機能する。ドアパネル２７は、ボルト４５によりドア２１の荷重を支えた状態で、設定高さ位置においてスライド可能に固定される。このようにドアシュー２９には、ドア２１の荷重を支える荷重支持部材と、ドアシュー２９をドアパネル２７に固定する固定部材とが挿通される、少なくとも一つの支持穴部５１が設けられており、支持穴部５１は、荷重支持部材及び固定部材として機能する締結部材であるボルト４５が、ドアシュー２９に対して異なる高さに配置されるように構成されていることで、セットアップ専用のジャッキアップ機器が不要となっている。
【００２４】
ドアパネル２７の固定後には、仮締めしていたボルト４５を一旦緩め、サポート部分４３とドアパネル２７との連結を一旦解除し、ドアシュー２９を一方向に横スライド後、上昇させ、さらに他方向に横スライドさせ、図５（本設定締結位置）の状態を得る。より分かり易くは、相対的な移動として捉えて説明すると、ボルト４５の軸部を、相対的に上部の横穴部５３内を連通穴部５７に向けて移動させ、さらに、連通穴部５７内を下方に移動させ、さらに、相対的に下部の横穴部５５内を連通穴部５７から離れる向きに移動させる。このような支持穴部５１に対するボルト４５の一連の相対移動によって、実際には、ドアシュー２９が、図５に示すような状態まで上昇する。このようにして、ドアパネル２７に対するドアシュー２９の高さが、ドア２１の固定時（仮設定締結位置）よりも上昇する。また、この間も、ドアパネル２７とドアハンガー３５との固定は確保されていることから、一旦、確保された隙間Ｃは不変である。その後は、ボルト４５を本締めし、ボルト４５を固定部材として機能させてドアシュー２９のドアパネル２７への固定を完了させ、ドアパネル２７と敷居２５との間に所望の設定隙間Ｃを有する状態を得る。
【００２５】
上述した本実施の形態１に係るエレベータのドア装置及びエレベータのドアの据付方法によれば、ドアパネルの高さ固定時に、複雑なジャッキアップ機構は利用せず、ドアシューを活用してドアパネルの高さ調整及びドアパネルの荷重支持を完了でき、且つ、ドアパネルの高さ固定後は、その同じドアシューが通常通りドア開閉の案内として利用されるので、セットアップ専用の機器の費用が嵩むことなく且つ熟練を要するジャッキアップを避けて、簡便にドアパネルと敷居との隙間を適正にすることができる。さらに、支持穴部が上述した二つの横穴部と連通穴部とから構成されていれば、仮設定締結位置及び本設定締結位置が正確に定まり、高度の熟練を要する微調整や位置の迷いもなく、確実且つ迅速に据付作業を完了させることができる。さらに、仮設定締結位置及び本設定締結位置では、ボルトが何れかの横穴部に支持されることとなるので、万が一、ボルトの締め付けが不足した状況が生じたとしても、仮設定締結位置でのドアパネルの高さや、本設定締結位置でのドアシューの高さは所望に維持される利点がある。さらに、仮設定締結位置と本設定締結位置との間のボルトの位置変更は、連通穴部を経由して実施されるため、仮締めから本締めに移行する間にボルトをドアパネルから完全に離脱させなくてすみ、好適な作業性が確保され、且つ、作業も迅速に完了できる。
【００２６】
実施の形態２．
次に、本発明の実施の形態２について説明する。図６は、本実施の形態２に関する、図３と同態様の図である。なお、本実施の形態２は、以下に説明する部分を除いては、上記実施の形態１と同様であるものとする。
【００２７】
図６に示されるように、本実施の形態２におけるドアシュー１２９にも、サポート部分４３に形成された少なくとも一つの（図示例は二つの）支持穴部１５１が設けられている。支持穴部１５１は、高さ方向に延びる長穴である。この支持穴部１５１にも、ドアシュー２９をドアパネル２７に固定する締結部材であるボルト４５が挿通され、このボルト４５は、実施の形態１と同様、荷重支持部材及び固定部材として機能する。
【００２８】
ボルト４５は、仮設定締結位置としては、支持穴部１５１である長穴内の相対的に上部に配置され、本設定締結位置としては、長穴内の相対的に下部に配置される。ドアの据付においては、ボルト４５を、長穴における相対的に上部に配置した状態で、ドアパネル２７の固定を行い、ドアパネル２７の固定後、ボルト４５を、長穴内で下降させて、長穴における相対的に上部の位置から相対的に下部の位置へと移動させることで、ドア２１の固定時の状態よりもドアパネル２７に対するドアシュー２９の高さを上昇させる。
【００２９】
このような本実施の形態２によっても、実施の形態１と同様、セットアップ専用の機器の費用が嵩むことなく且つ熟練を要するジャッキアップを避けて、簡便にドアパネルと敷居との隙間を適正にすることができる。さらに、仮設定締結位置と本設定締結位置との間のボルトの位置変更は、相対的にみた長穴内におけるボルトの下方スライドで実施されるため、仮締めから本締めに移行する間にボルトをドアパネルから完全に離脱させなくてすみ、好適な作業性が確保され、且つ、作業も迅速に完了できる。
【００３０】
実施の形態３．
次に、本発明の実施の形態３について説明する。図７及び８はそれぞれ、本実施の形態３に関する、図３及び図５と同態様の図である。なお、本実施の形態３は、以下に説明する部分を除いては、上記実施の形態１と同様であるものとする。
【００３１】
図７に示されるように、本実施の形態３におけるドアシュー２２９は、少なくとも一つの（図示例は一つ）支持穴部２５１が設けられている。この支持穴部２５１は、荷重支持部材が挿通される少なくとも一つの（図示例では一つの）仮支持穴６１と、固定部材が挿通される少なくとも一つの（図示例では二つの）固定穴６３とを含む。荷重支持部材は、図８に示されるように、その下面が敷居２５と当接する仮支持部材６５である。なお、仮支持部材６５は、ブロック状の部材である。また、仮支持部材６５の一端側には、仮支持穴６１よりも縦断面が大きなストッパ部が形成されており、このストッパ部の境界にある段差６５ａは、後述するように仮支持部材６５の仮支持穴６１への挿入状態を制御する。固定部材には、上記実施の形態１と同様、ドアシュー２９をドアパネル２７に固定する締結部材のボルト４５が用いられる。
【００３２】
ドアの据付においては、まず、仮支持穴６１に仮支持部材６５を挿入した状態で、ボルト３３を介したドアパネル２７の固定を行う。このとき、図示例では、仮支持部材６５が仮支持穴６１にぴったりはまり、仮支持部材６５の下面は敷居２５の上面と当接し、仮支持部材６５の上面はドアパネル２７の下面と当接する。また、この図示例の状態は、仮支持部材６５の段差６５ａを、サポート部分４３における仮支持部材６５の画定部に当接させることで得られるように、関係各部が構成されているものとする。ドアパネル２７の固定の固定後であって、且つ、固定穴６３に挿通されたボルト４５によるドアパネル２７へのドアシュー２９の固定後に、仮支持部材６５を仮支持穴６１から抜き出す。これにより、上記実施の形態１及び２と同様、ドアパネル２７と敷居２５との間に所望の設定隙間Ｃを有する状態を得る。なお、ボルト４５の本締めのタイミング（ドアパネル２７へのドアシュー２９の固定完了）は、仮支持部材６５を仮支持穴６１から抜き出す前の段階であれば特に限定はなく、仮支持部材６５の挿入の前後の何れでもよく、また、ボルト３３によるドアパネル２７の固定の前後の何れでもよい。
【００３３】
このような本実施の形態３では、仮支持部材というブロック状の簡素な部材を用意するだけでドアシューを据付に活用し、実施の形態１と同様、セットアップ専用の機器の費用が嵩むことなく且つ熟練を要するジャッキアップを避けて、簡便にドアパネルと敷居との隙間を適正にすることができる。
【００３４】
以上、好ましい実施の形態を参照して本発明の内容を具体的に説明したが、本発明の基本的技術思想及び教示に基づいて、当業者であれば、種々の改変態様を採り得ることは自明である。
【００３５】
例えば、上記実施の形態１〜３において、一つのサポート部分に設ける支持穴部の数は特に限定されるものではない。また、上記実施の形態３においては、一つの支持穴部の構成要素としての仮支持部材の数や固定穴の数は適宜改変することができる。
【００３６】
また、本発明は、かごのドア装置に適用することも可能であり、乗場のドア装置に適用することも可能である。
【符号の説明】
【００３７】
９  ドア装置、２１  ドア、２３  溝、２５  敷居、２７  ドアパネル、２９  ドアシュー、４１  シュー部分、４３  サポート部分、４５  ボルト（荷重支持部材、固定部材、締結部材）、５１，１５１，２５１  支持穴部、５３，５５  横穴部、５７  連通穴部、６１  仮支持穴、６３  固定穴、６５  仮支持部材（荷重支持部材）。
【図１】
0005832676.tif 000002
【図２】
0005832676.tif 000003
【図３】
0005832676.tif 000004
【図４】
0005832676.tif 000005
【図５】
0005832676.tif 000006
【図６】
0005832676.tif 000007
【図７】
0005832676.tif 000008
【図８】
0005832676.tif 000009